(57)【要約】【課題】中骨を含めて意匠性を向上させることのできるペット用窓を提供する。【解決手段】サッシ障子２の下部に取付けられる枠体２０内に室内外方向に揺動開閉自在な扉体２１を納め、枠体２０内には上下に渡る中骨３３が設けられ、中骨３３の一方側に扉体２１が揺動開閉自在に設けられ、中骨３３の他方側にガラス体２２が嵌め殺し状に設けられ、枠体２０の扉体２１及びガラス体２２より室内側には扉体２１を閉塞可能なガラス戸２３が左右方向に摺動自在に納められ、中骨３３は金属材からなり室外側に配置される中骨本体５０と、中骨本体５０の室内側に取付けられる樹脂カバー体５１とからなり、樹脂カバー体５１にはガラス戸２３に対して当接する気密材５７を保持する保持部５４が長手方向に沿って形成されてなる。【選択図】図７
2009068253.tif 000002
【特許請求の範囲】
【請求項１】
サッシ障子の下部に取付けられる枠体内に室内外方向に揺動開閉自在な扉体を納めたペット用窓において、
前記枠体内には上下に渡る中骨が設けられ、該中骨の一方側に前記扉体が揺動開閉自在に設けられ、前記中骨の他方側にガラス体が嵌め殺し状に設けられ、前記枠体の前記扉体及びガラス体より室内側には前記扉体を閉塞可能なガラス戸が左右方向に摺動自在に納められ、
前記中骨は金属材からなり室外側に配置される中骨本体と、該中骨本体の室内側に取付けられる樹脂カバー体とからなり、該樹脂カバー体には前記ガラス戸に対して当接する気密材を保持する保持部が長手方向に沿って形成されることを特徴とするペット用窓。
【請求項２】
前記樹脂カバー体には前記ガラス戸の摺動を規制可能なストッパを納める孔部が形成されることを特徴とする請求項１記載のペット用窓。
【請求項３】
前記樹脂カバー体の孔部の位置において前記中骨本体の室内側面は前記樹脂カバー体と離隔し、前記ストッパは前記孔部から挿入され前記中骨本体の室内側面に当接するように納められることを特徴とする請求項２記載のペット用窓。
【請求項４】
前記樹脂カバー体は、前記扉体の縁部を室内側から保持する扉保持部と、前記ガラス体の縁部を室内側から保持するガラス保持部との、いずれか一方または両方を有することを特徴とする請求項１〜３のいずれか１項に記載のペット用窓。
【発明の詳細な説明】
【技術分野】
【０００１】
本発明は、サッシ障子の下部に設けられペットが出入り可能な扉体を備えたペット用窓に関し、特に扉体と隣接するガラス体とを仕切る中骨の意匠性を向上させたペット用窓に関する。
【背景技術】
【０００２】
住宅のサッシについて、ペットが室内外に自由に出入りできるように揺動自在な扉体を設けるペット用窓が従来知られている。ペット用窓は、サッシ障子の下部に設けられ、上下枠及び左右の縦枠を枠組みしてなる枠体内に扉体を揺動自在に納めて構成される。また、枠体の左右中間部には上枠から下枠に渡って中骨が設けられ、この中骨の一方側に扉体が納められ、他方側にはガラス体が嵌め殺し状に納められる。さらに、扉体及びガラス体の室内側には、ガラス戸が左右に摺動自在となるように納められており、扉体の部分を閉塞することができるようにしている。このようなペット用窓としては、例えば特許文献１に挙げるようなものがある。
【特許文献１】実登第２５３８１３８号公報
【発明の開示】
【発明が解決しようとする課題】
【０００３】
中骨の左右両側面には、それぞれ扉体やガラス体を保持する溝部が長手方向に沿って形成されており、また室内側面にはガラスとの気密性を確保するための気密材が設けられている。中骨はこのようにやや複雑な構成を有しているために、従来のペット用窓においては、枠体の室内側を樹脂材で覆って意匠性を向上させるようにすることはあったものの、中骨については金属材のみからなるものであったため、意匠性を充分に向上させることができなかった。
【０００４】
本発明は、前記課題を解決すべくなされたものであり、中骨を含めて意匠性を向上させることのできるペット用窓を提供することを目的とする。
【課題を解決するための手段】
【０００５】
上記課題を解決するため、本発明にかかるペット用窓は、サッシ障子の下部に取付けられる枠体内に室内外方向に揺動開閉自在な扉体を納めたペット用窓において、
前記枠体内には上下に渡る中骨が設けられ、該中骨の一方側に前記扉体が揺動開閉自在に設けられ、前記中骨の他方側にガラス体が嵌め殺し状に設けられ、前記枠体の前記扉体及びガラス体より室内側には前記扉体を閉塞可能なガラス戸が左右方向に摺動自在に納められ、
前記中骨は金属材からなり室外側に配置される中骨本体と、該中骨本体の室内側に取付けられる樹脂カバー体とからなり、該樹脂カバー体には前記ガラス戸に対して当接する気密材を保持する保持部が長手方向に沿って形成されることを特徴として構成されている。
【０００６】
また、本発明にかかるペット用窓は、前記樹脂カバー体には前記ガラス戸の摺動を規制可能なストッパを納める孔部が形成されることを特徴として構成されている。
【０００７】
さらに、本発明にかかるペット用窓は、前記樹脂カバー体の孔部の位置において前記中骨本体の室内側面は前記樹脂カバー体と離隔し、前記ストッパは前記孔部から挿入され前記中骨本体の室内側面に当接するように納められることを特徴として構成されている。
【０００８】
さらにまた、本発明にかかるペット用窓は、前記樹脂カバー体は、前記扉体の縁部を室内側から保持する扉保持部と、前記ガラス体の縁部を室内側から保持するガラス保持部との、いずれか一方または両方を有することを特徴として構成されている。
【発明の効果】
【０００９】
本発明にかかるペット用窓によれば、中骨は金属材からなり室外側に配置される中骨本体と、中骨本体の室内側に取付けられる樹脂カバー体とからなり、樹脂カバー体にはガラス戸に対して当接する気密材を保持する保持部が長手方向に沿って形成されることにより、中骨の機能を保持しつつその室内側露出面を樹脂材で構成することができ、ペット用窓を複合サッシのサッシ障子に取付けても意匠性を損ねることがないようにすることができる。
【００１０】
また、本発明にかかるペット用窓によれば、樹脂カバー体にはガラス戸の摺動を規制可能なストッパを納める孔部が形成されることにより、中骨にストッパを納めてガラス戸の摺動を規制でき、ガラス戸が不意に移動し、その状態で扉体が開閉されることによりガラス戸が破損することを防止することができる。
【００１１】
さらに、本発明にかかるペット用窓によれば、樹脂カバー体の孔部の位置において中骨本体の室内側面は樹脂カバー体と離隔し、ストッパは孔部から挿入され中骨本体の室内側面に当接するように納められることにより、ストッパを中骨内に納めて中骨の室内面から大きく突出しないようにすることができ、ガラス戸と干渉しないようにできると共に意匠性も向上させることができる。
【００１２】
さらにまた、本発明に係るペット用窓によれば、樹脂カバー体は扉体の縁部を室内側から保持する扉保持部と、ガラス体の縁部を室内側から保持するガラス保持部とのいずれか一方または両方を有することにより、中骨の見込方向寸法を大きくすることなく樹脂カバー体を設けて意匠性の向上を図ることができる。
【発明を実施するための最良の形態】
【００１３】
本発明の実施形態について図面に沿って詳細に説明する。図１には、本実施形態のペット用窓をサッシ障子に取付けた正面図を示している。ペット用窓３は、建物開口部に取付けられるサッシであって、サッシ障子２を走行自在に納めてなる引き違いサッシに設けられる。図１に示すのは、このような引き違いサッシに用いられるサッシ障子２であり、その下部にペット用窓３が設けられている。ペット用窓３がサッシ障子２に設けられていることにより、ペットが室内外に出入りすることができる。
【００１４】
サッシ障子２は、上框１０と下框１１及び左右の縦框１２、１２が方形状に框組みされてなり、さらにその下部には左右の縦框１２、１２間に渡る中桟１３が設けられている。上框１０と縦框１２及び中桟１３に囲まれた領域には、障子ガラス体１６が納められる。一方で下框１１と縦框１２及び中桟１３に囲まれた領域にペット用窓３が納められる。
【００１５】
ペット用窓３は、上下方向に渡る中骨３３を有しており、中骨３３の一方側には室内外方向に揺動自在な扉体２１が配置され、他方側にはガラス体２２が嵌め殺し状に配置される。また、扉体２１及びガラス体２２の室内側には、左右方向に摺動自在なガラス戸２３が設けられる。
【００１６】
図２には、ペット用窓３の斜視図を示している。この図に示すように、ペット用窓３は、上枠３０と下枠３１及び左右の縦枠３２、３２を方形状に枠組みしてなる枠体２０内に、扉体２１を室内外方向に揺動自在に納めると共に、ガラス体２２を嵌め殺し状に納め、さらにガラス戸２３を左右摺動自在に納めて構成されている。
【００１７】
扉体２１は、略方形状に形成され上枠３０と下枠３１、一方の縦枠３２及び中骨３３に囲まれた領域に納められる框部４０内に、扉ガラス体４１を納めて構成されており、框部４０が一方の縦枠３２及び中骨３３に揺動自在に支持されている。また、框部４０の下部には左右両側部にロック操作部４３が設けられている。ロック操作部４３はいずれも左右方向にスライド自在とされており、扉体２１の左右方向中央部側から外側に向かってスライドさせることにより、扉体２１の揺動をロックすることができる。
【００１８】
中骨３３は、枠体２０の上枠３０から下枠３１に渡るように配置されており、その室内面の下部にはストッパ６０が設けられている。ストッパ６０は、操作により出没自在な出没部６２を備えており、ガラス戸２３がガラス体２２側にある状態で出没部６２を突出させることにより、ガラス戸２３が扉体２１側に摺動しないよう移動を規制する。
【００１９】
ガラス戸２３は、左右方向にはガラス体２２と略同じ幅を有するように形成されており、上端縁と下端縁をそれぞれ上枠３０と下枠３１に摺動自在に保持されている。これによって、ガラス戸２３は図４に示す状態から扉体２１側に摺動させることができ、それによって扉体２１を閉塞する。
【００２０】
図３にはペット用窓３を設けたサッシの縦断面図を、図４にはペット用窓３を設けたサッシの横断面図を、それぞれ示している。これら各図に示すように、サッシは建物開口部に設けられる方形状のサッシ枠体１内に、２枚のサッシ障子２を引き違い状に納めて構成される。
【００２１】
サッシ障子２は引き違い状に配置されるため、サッシ枠体１内において室内側と室外側にそれぞれ設けられる。このうち、室外側に配置されるサッシ障子２の下部にペット用窓３が設けられる。室外側に配置されるサッシ障子２は、前述のように上框１０と下框１１及び左右の縦框１２が方形状に框組みされ、さらに左右の縦框１２間には上框１０及び下框１１と平行な中桟１３が設けられる。上框１０と下框１１及び縦框１２は、いずれも内周面に凹状のガラス挿入溝１４を備え、中桟１３の上面及び下面にもそれぞれ凹状のガラス挿入溝１４が形成されている。
【００２２】
サッシ障子２の上部に納められる障子ガラス体１６は、上框１０と縦框１２及び中桟１３のガラス挿入溝１４に縁部が四周に渡って納められ、断面略コ字状に形成されたグレチャン１５を介してガラス挿入溝１４の室内外側壁に挟持される。また、ペット用窓３は下框１１と縦框１２及び中桟１３のガラス挿入溝１４に縁部が四周に渡って納められ、グレチャン１５を介してガラス挿入溝１４の室内外側壁に挟持される。すなわち、ペット用窓３は、障子ガラス体１６と同様の取付構造でサッシ障子２に取付けられる。
【００２３】
ペット用窓３のサッシ障子２に対する取付構造について、より詳細に説明する。図５には図３の中桟１３付近の拡大図を、図６には図４の一方の縦框１２付近の拡大図を、それぞれ示している。図５に示すように、中桟１３は室外側の金属中桟１３ａと、金属中桟１３ａの室内側面を覆うように設けられる樹脂中桟１３ｂとからなっている。また、中桟１３の上面と下面にそれぞれ形成されるガラス挿入溝１４は、室外側の側壁が金属中桟１３ａにより、室内側の側壁が樹脂中桟１３ｂにより、それぞれ形成されている。
【００２４】
ペット用窓３の枠体２０を構成する上枠３０には、内周面側に扉体２１を保持する凹状の扉体保持部３４と、ガラス戸２３を保持する凹状のガラス戸保持部３５とが形成されている。また、上枠３０の室内側面３６ａと室外側面３６ｂは、複層ガラスである障子ガラス体１６の厚みと略同等の間隔を有して対向しており、これら室内側面３６ａと室外側面３６ｂとで、ガラス挿入溝１４にグレチャン１５を介して挟持される被保持部３６を構成している。室内側面３６ａと室外側面３６ｂは、複層ガラスの厚みと略同等の間隔を有して対向しているので、それぞれ断面略コ字状に形成されるグレチャン１５の室内側壁１５ａと室外側壁１５ｂとに圧接される。これによって、上枠３０の縁部を中桟１３のガラス挿入溝１４に対し障子ガラス体１６と同様に挿入し、グレチャン１５を介して固定することができる。また、被保持部３６を構成する室内側面３６ａと室外側面３６ｂは、グレチャン１５の室内側壁１５ａ及び室外側壁１５ｂにそのほとんどを覆われる。このため、上枠３０のほとんどがグレチャン１５に覆われることとなり、外部に露出する部分を小さくしている。
【００２５】
図６に示すように、ペット用窓３の縦枠３２も上枠３０と同様の構造でサッシ障子２に対して固定される。すなわち、縦枠３２には複層ガラスの厚みと略同等の間隔を有して室内側面３６ａと室外側面３６ｂとが形成され被保持部３６を構成しており、この被保持部３６をガラス挿入溝１４内に挿入されグレチャン１５を介して挟持固定されている。また、縦枠３２においてもグレチャン１５の室内側壁１５ａ及び室外側壁１５ｂが被保持部３６の室内側面３６ａ及び室外側面３６ｂを略覆っているので、縦枠３２のほとんどがグレチャン１５に覆われ、外部に露出する部分を小さくしている。下枠３１については拡大図を示していないが、上枠３０及び縦枠３２と同様の構造でサッシ障子２に固定され、そのほとんどがグレチャン１５に覆われて、外部に露出する部分を小さくしている。
【００２６】
このように、枠体２０を構成する上枠３０と下枠３１及び縦枠３２について、複層ガラスの厚みと略同等の幅を有する被保持部３６を形成し、グレチャン１５でそのほとんどを覆ってサッシ障子２のガラス挿入溝１４に固定するようにしたので、複層ガラスをサッシ障子２に納めるのと同様の工程で、ペット用窓３をサッシ障子２に納めることができる。また、被保持部３６はほとんどがグレチャン１５に覆われるように形成されているので、枠体２０の大部分が外部に露出しないようにすることができ、意匠性の向上を図ることができる。さらに、中桟１３には複層ガラスを納めることのできるガラス挿入溝１４があればよいので、サッシ障子２の下部に複層ガラスを納める場合と同じ中桟１３を用いることができ、部品の共用化も図ることができる。
【００２７】
図５及び図６に示すように上枠３０や縦枠３２の外周面には、２条の突出片が形成されており、これらが嵌合部３７を構成している。嵌合部３７を構成する突出片は、単板ガラスの厚みに相当する間隔を有して対向するように形成されている。図９には、嵌合部３７を用いてサッシ障子２に対してペット用窓３を固定する場合における縦框１２付近の横断面図を示している。嵌合部３７を用いてサッシ障子２に対してペット用窓３を固定するのは、サッシ障子２が単板ガラスを納めるように形成されている場合であり、図９に示すように、縦框１２のガラス挿入溝１４は、図６に示すものよりも幅狭に形成されている。このガラス挿入溝１４に対して嵌合部３７を嵌合させることにより、ペット用窓３を縦框１２に対して固定する。なお、下框１１や中桟１３についても、同様の構造で嵌合部３７がガラス挿入溝１４に嵌合し、固定される。
【００２８】
図７には、中骨３３付近の拡大横断面図を示している。中骨３３は、室外側に配置される中骨本体５０と、室内側に配置されて中骨本体５０の室内面を覆う樹脂カバー体５１の二部材を係合することで構成されている。中骨本体５０は金属材によって形成され、樹脂カバー体５１は樹脂材により形成されている。中骨３３の一方の側面には、扉体２１の縁部を挿入できる扉体挿入溝５２が凹状に形成され、中骨３３の他方の側面には、ガラス体２２の縁部を挿入できるガラス体挿入溝５３が凹状に形成されている。
【００２９】
扉体挿入溝５２は、扉体２１を保持する室外側の面が中骨本体５０で構成され、室内側の面が樹脂カバー体５１で構成されている。すなわち、樹脂カバー体５１は扉体２１を室内側から保持する扉保持部５１ａを有している。また、ガラス体挿入溝５３も、ガラス体２２を保持する室外側の面が中骨本体５０で構成され、室内側の面が樹脂カバー体５１で構成されている。すなわち、樹脂カバー体５１はガラス体２２を室内側から保持するガラス保持部５１ｂを有している。ガラス体２２は、縁部がガラス体挿入溝５３に挿入され、グレチャン５６を介して挟持固定される。
【００３０】
樹脂カバー体５１は、室内側面に気密材５７を保持可能な凹状の気密材保持部５４を有している。気密材５７は、室内側に向かって伸びており、ガラス戸２３が扉体２１側に摺動された際にその室外面と当接して、ガラス戸２３における気密性を確保するためのものである。気密材保持部５４は、樹脂カバー体５１の長手方向略全長に渡って形成されており、気密材５７も樹脂カバー体５１の長手方向略全長に渡るように設けられて、ガラス戸２３の上下方向略全長に渡って気密ラインを形成する。
【００３１】
また、樹脂カバー体５１の室内側面には、ストッパ６０を挿通可能な孔部５５が形成されている。ストッパ６０は、中骨３３内に納められる本体部６１と、本体部６１から出没自在な出没部６２とを有して構成されている。図８には、ストッパ６０の側面図を示している。この図に示すように、ストッパ６０の本体部６１は、略直方体形状に形成されており、その上部には押圧操作自在な操作部６３が設けられている。出没部６２は操作部６３と連係しており、操作部６３の操作に伴って支点部６２ａを中心に回動し、本体部６１から突出することができる。また、本体部６１から突出した出没部６２を押圧することで、本体部６１内に再び納めることができる。そして、出没部６２が本体部６１から突出することにより、出没部６２の側面部でガラス戸２３の摺動を規制することができるようにしている。このように中骨３３にストッパ６０を設けることにより、ガラス戸２３の摺動を規制することができるので、サッシ障子２を開閉した際に、ガラス戸２３がそれに伴い摺動することを防止することができる。したがって、ガラス戸２３が不意に移動し扉体２１が開閉されることによりガラス戸２３が破損することを防止することができる。
【００３２】
樹脂カバー体５１の孔部５５は、本体部６１の外形状に適合するように形成されている。また、中骨本体５０の孔部５５と対向する部分には段部５０ａが形成されており、この段部５０ａと樹脂カバー体５１の扉体２１側面によって本体部６１を納めることのできる収納部５８が形成されている。本体部６１を収納部５８に納めることで、本体部６１の室内側面は孔部５５より室内側に露出した状態となり、操作部６３が操作自在とされると共に、出没部６２が本体部６１から突出自在とされる。このように、中骨３３を中骨本体５０と樹脂カバー体５１とで構成し、樹脂カバー体５１によって扉体２１及びガラス体２２の室内側面を保持すると共に、樹脂カバー体５１に気密材保持部５４や孔部５５を設けたことにより、中骨３３の室内側露出面を樹脂材で構成することができ、複合サッシにペット用窓３を取付けても、意匠性を損なうことがないようにすることができる。
【００３３】
ここで、本実施形態ではガラス戸２３がガラス体２２と略同じ幅を有するように形成されているため、枠体２０内においてガラス戸２３がガラス体２２側に配置された状態で、ストッパ６０の出没部６２を突出させてガラス戸２３の摺動を規制するようにしているが、ガラス戸２３を扉体２１と略同じ幅を有するように形成し、ガラス戸２３が扉体２１を閉塞している状態でストッパ６０の出没部６２を突出させ、ガラス戸２３の摺動を規制するようにしてもよい。
【００３４】
本実施形態のペット用窓３には、別の形態の中骨３３を用いることもできる。図１０には、第２の形態の中骨３３を有するペット用窓３の中骨付近の拡大横断面図である。この場合、中骨３３以外の構成はこれまで説明したものと同じである。図１０に示すように、中骨３３は、図７に示したものと同様に、金属製の中骨本体５０と、中骨本体５０の室内側面を覆うように取付けられる樹脂カバー体５１とからなっている。図１０に示す中骨３３は、樹脂カバー体５１に扉保持部５１ａ及びガラス保持部５１ｂが形成され、また気密材５７を保持する気密材保持部５４及びストッパ６０の本体部６１を挿通させる孔部５５を有している。図７に示したものと異なるのは、中骨本体５０に段部５０ａが形成されておらず、樹脂カバー体５１の孔部５５と略同じ大きさの挿通孔５０ｂを室内側面に有している。このため、ストッパ６０の本体部６１は、中骨３３に取付けられた状態で中骨本体５０の内部に納められる。
【００３５】
また、図１１には第３の形態の中骨３３を有するペット用窓３の中骨付近の拡大横断面図を示している。この場合においても、中骨３３以外の構成はこれまで説明したものと同じである。図１１に示すように、中骨３３は金属製の中骨本体５０と、中骨本体５０の室内側面を覆うように取付けられる樹脂カバー体５１とからなっている。図１１に示す中骨３３は、樹脂カバー体５１に気密材保持部５４及び孔部５５が形成されて、気密材５７を保持すると共にストッパ６０を挿通させることができる。その一方、中骨本体５０に扉保持部５０ｄ及びガラス保持部５０ｅが形成されていて、樹脂カバー体５１はこれらの室内側面を覆う構成となっている。また、中骨本体５０の室内側面には樹脂カバー体５１の気密材保持部５４と略同じ形状を有した凹部５０ｃが形成されており、この凹部５０ｃに樹脂カバー体５１が嵌合されている。なお、第２の形態の中骨３３の場合と同様に中骨本体５０には挿通孔５０ｂが形成されており、樹脂カバー体５１の孔部５５に挿通されるストッパ６０の本体部６１は、挿通孔５０ｂにも挿通されて中骨本体５０内に納められる。
【００３６】
第３の形態の中骨３３を用いる場合には、金属材からなる中骨本体５０のみで中骨３３を構成することもできる。図１２には、中骨本体５０のみで中骨３３を構成した場合の拡大横断面図を示している。第３の形態の中骨３３の場合、中骨本体５０が扉保持部５０ｄ及びガラス保持部５０ｅを有しているので、中骨本体５０だけでも扉体２１及びガラス体２２を保持することができる。また、中骨本体５０の室内面に凹部５０ｃが形成されているので、この凹部５０ｃに気密材５７を保持させて、ガラス戸２３に当接させるようにすることができる。したがって、図１２のように中骨本体５０のみで中骨３３としての機能を果たすことができる。
【００３７】
以上、本発明の実施形態について説明したが、本発明の適用は本実施形態には限られず、その技術的思想の範囲内において様々に適用されうるものである。例えば、本実施形態では、ペット用窓３を複合サッシに取付ける場合について主に説明したが、金属サッシであって複層ガラスを納めるサッシにも本実施形態のペット用窓３を取付けることができるし、また、図９でも説明したように金属サッシであって単板ガラスを納めるサッシにも本実施形態のペット用窓３を取付けることができる。さらに、本実施形態では図７及び図１０で示したように、中骨３３を構成する樹脂カバー体５１に扉保持部５１ａ及びガラス保持部５１ｂの両方を設けた場合と、図１１に示したように、中骨本体５０に扉保持部５０ｄ及びガラス保持部５０ｅの両方を設けた場合とについて説明したが、樹脂カバー体５１に扉保持部５０ａとガラス保持部５１ｂのいずれか一方を設け、他方を中骨本体５０に設ける構造としてもよい。
【図面の簡単な説明】
【００３８】
【図１】本実施形態のペット用窓をサッシ障子に取付けた正面図である。
【図２】ペット用窓の斜視図である。
【図３】ペット用窓を設けたサッシの縦断面図である。
【図４】ペット用窓を設けたサッシの横断面図である。
【図５】図３の中桟付近の拡大図である。
【図６】図４の一方の縦框付近の拡大図である。
【図７】中骨付近の拡大横断面図である。
【図８】ストッパの側面図である。
【図９】嵌合部を用いてサッシ障子に対してペット用窓を固定する場合における縦框付近の横断面図である。
【図１０】第２の形態の中骨を有するペット用窓の中骨付近の拡大横断面図である。
【図１１】第３の形態の中骨を有するペット用窓の中骨付近の拡大横断面図である。
【図１２】中骨本体のみで中骨を構成した場合の拡大横断面図である。
【符号の説明】
【００３９】
１    サッシ枠体
２    サッシ障子
３    ペット用窓
１０    上框
１１    下框
１２    縦框
１３    中桟
１４    ガラス挿入溝
１５    グレチャン
１６    障子ガラス体
２０    枠体
２１    扉体
２２    ガラス体
２３    ガラス戸
３０    上枠
３１    下枠
３２    縦枠
３３    中骨
３４    扉体保持部
３５    ガラス戸保持部
３６    被保持部
３６ａ  室内側面
３６ｂ  室外側面
３７    嵌合部
５０    中骨本体
５１    樹脂カバー体
５２    扉体挿入溝
５３    ガラス体挿入溝
５４    気密材保持部
５５    孔部
５６    グレチャン
５７    気密材
５８    収納部
６０    ストッパ
６１    本体部
６２    出没部
【図１】
2009068253.tif 000003
【図２】
2009068253.tif 000004
【図３】
2009068253.tif 000005
【図４】
2009068253.tif 000006
【図５】
2009068253.tif 000007
【図６】
2009068253.tif 000008
【図７】
2009068253.tif 000009
【図８】
2009068253.tif 000010
【図９】
2009068253.tif 000011
【図１０】
2009068253.tif 000012
【図１１】
2009068253.tif 000013
【図１２】
2009068253.tif 000014